(57)【要約】      （修正有）【課題】ウェーハレベルチップサイズパッケージの製造方法及びそれに利用されるモールディング装置を提供する。【解決手段】注入モールディング方法及び圧縮モールディング方法が利用できるモールディング装置を利用してウェーハ１１の下面及び導電性バンプ１３が形成されたウェーハ１１の上面を一回に封止材１５でモールディングする。これにより、ウェーハ１１上下面を同じ封止材１５で一回にモールディングするので、薄く、かつ広いウェーハ１１のワーページも防止でき、ウェーハ１１をハンドリングする時に機械的損傷を防止して半導体チップにクラックが発生することが防止できる。【選択図】図２
2005079577.tif 000002
【特許請求の範囲】
【請求項１】
上面に導電性バンプが形成され、多数の半導体チップを含むウェーハを準備する段階と、
前記ウェーハの下面及び前記導電性バンプが形成されたウェーハの上面を一回に封止材でモールディングする段階と、
前記ウェーハの上面に形成された封止材をグラインドして前記導電性バンプの上端部を露出させる段階と、
前記露出された導電性バンプに端子を形成する段階と、
前記半導体チップが多数形成されたウェーハで一個ずつ半導体チップをダイシングする段階と、を含んでなることを特徴とするウェーハレベルチップサイズパッケージの製造方法。
【請求項２】
前記上面に導電性バンプが形成され、多数の半導体チップを含むウェーハは、入出力パッドが形成された半導体チップが多数形成されたウェーハを用意した後、前記各半導体チップの入出力パッドに導電性バンプを形成して備えることを特徴とする請求項１に記載のウェーハレベルチップサイズパッケージの製造方法。
【請求項３】
前記封止材モールディングは注入モールディング方法または圧縮モールディング方法を利用して行うことを特徴とする請求項１に記載のウェーハレベルチップサイズパッケージの製造方法。
【請求項４】
前記注入モールディング方法による封止材モールディングは離型フィルムをモールディング装置の上部金型及び下部金型にそれぞれ密着させる段階と、前記導電性バンプが形成されたウェーハを前記上部金型及び下部金型間にローディングする段階と、前記上部金型及び下部金型内に封止材を注入する段階と、前記封止材が注入されたまま上部金型及び下部金型をキュアリングする段階と、前記離型フィルムを利用して前記上部金型と下部金型とからウェーハを脱型させる段階と、を含んでなることを特徴とする請求項３に記載のウェーハレベルチップサイズパッケージの製造方法。
【請求項５】
前記ウェーハを脱型させた後で前記封止材がモールディングされたウェーハを後熱処理する段階をさらに含むことを特徴とする請求項４に記載のウェーハレベルチップサイズパッケージの製造方法。
【請求項６】
前記封止材は液状封止材または固状封止材であることを特徴とする請求項４に記載のウェーハレベルチップサイズパッケージの製造方法。
【請求項７】
前記圧縮モールディング方法による封止材モールディングは、離型フィルムをモールディング装置の上部金型及び下部金型にそれぞれ密着させる段階と、前記上部金型及び下部金型に密着された離型フィルム上に封止シートを位置させる段階と、前記導電性バンプが形成されたウェーハを前記封止シート上の上部金型及び下部金型間にローディングする段階と、前記上部金型及び下部金型を密着させて前記封止シートを前記ウェーハの上面及び下面に熱圧着させた後、キュアリングする段階と、前記離型フィルムを利用して前記上部金型と下部金型とからウェーハを脱型させる段階と、を含んでなることを特徴とする請求項３に記載のウェーハレベルチップサイズパッケージの製造方法。
【請求項８】
前記封止シートはポリイミド、エポキシ系及びシリコン系、またはこれらの混合系物質であることを特徴とする請求項７に記載のウェーハレベルチップサイズパッケージの製造方法。
【請求項９】
下部金型が位置する下部金型支持部と、
前記下部金型下部に位置して前記下部金型及び下部金型支持部を上に移動させうる金型駆動調節部と、
前記下部金型支持部に位置した下部金型に対向して位置した上部金型を支持する上部金型支持部と、
前記上部金型及び下部金型間に封止材が注入できる封止材注入部と、
前記下部金型の温度が調節できる温度調節部と、を含んでなることを特徴とするウェーハレベルチップサイズパッケージ製造用モールディング装置。
【請求項１０】
前記金型駆動調節部は前記下部金型を支えれる支持台と、前記下部金型及び下部金型支持部を上に移動させうる油圧ポンプと、を含んでなることを特徴とする請求項９に記載のウェーハレベルチップサイズパッケージ製造用モールディング装置。
【請求項１１】
前記封止材注入部は封止材の注入速度及び量が調節できる封止材注入調節器と、前記封止材注入調節器に連結されたエアーチューブと、前記エアーチューブに連結された封止材ソース部と、前記封止材ソース部に連結されて前記上部金型及び下部金型を通じて封止材が注入できる注入ニードルと、を含んでなることを特徴とする請求項９に記載のウェーハレベルチップサイズパッケージ製造用モールディング装置。
【請求項１２】
前記温度調節部は前記下部金型の熱が調節できる熱調節器と、前記熱調節器と前記下部金型とを連結させるヒートパイプと、を含んでなることを特徴とする請求項９に記載のウェーハレベルチップサイズパッケージ用モールディング装置。
【発明の詳細な説明】
【技術分野】
【０００１】
本発明は、半導体パッケージの製造方法及びそれに使われるモールド装置に係り、より詳細には、ウェーハレベルチップサイズパッケージ（ＷＬＣＳＰ：Ｗａｆｅｒ Ｌｅｖｅｌ Ｃｈｉｐ Ｓｉｚｅ Ｐａｃｋａｇｅ）の製造方法及びそれに使われるモールディング装置に関する。
【背景技術】
【０００２】
電子機器の小型化及び高性能化とパッケージの軽薄短小化の傾向に合せてウェーハレベルチップサイズパッケージが注目されている。すなわち、前記ウェーハレベルチップサイズパッケージは半導体チップのサイズと同じパッケージが提供できるために前述した目的に合ったパッケージである。前記ウェーハレベルチップサイズパッケージはウェーハ状態のままで再配線工程、封止工程などを行った後、最後にダイシング工程により半導体チップを有する個々のパッケージを分割して製造する。
【０００３】
ウェーハレベルチップサイズパッケージは薄いウェーハを適用する時にウェーハが曲がるウェーハワーページが発生する。前記ウェーハワーページはウェーハ半径が大きいほどさらに激しくなる。また、前記ウェーハレベルチップサイズパッケージを製造する時にチップサイズが大きければ、チップワーページが発生する。このようにウェーハワーページ及びチップワーページが発生すれば、パッケージ品質及び信頼性に悪い影響を与える。
【０００４】
特に、従来のウェーハレベルチップサイズパッケージはウェーハの前面にのみ封止材がモールディングされていてウェーハワーページがさらに多発する。このようにウェーハの上面にのみ封止材がモールディングされていれば、ウェーハダイシング工程で半導体チップのエッジが壊れる問題点がある。
【０００５】
なお、従来のウェーハレベルチップサイズパッケージはウェーハの上面にのみ封止材がモールディングされていてウェーハレベルテスト、ボード実装工程と、パッケージテスト工程でハンドリングする時に機械的損傷により半導体チップにクラックが発生する問題点がある。
【発明の開示】
【発明が解決しようとする課題】
【０００６】
本発明が解決しようする技術的課題は、ウェーハワーページを防止し、半導体チップにクラックが発生する問題点が解決できるウェーハレベルチップサイズパッケージの製造方法を提供するところにある。
【０００７】
本発明が解決しようとする他の技術的課題は、前記ウェーハレベルチップサイズパッケージの製造方法に利用されるモールディング装置を提供するところにある。
【課題を解決するための手段】
【０００８】
前記技術的課題を達成するために、本発明は上面に導電性バンプが形成され、多数の半導体チップを含むウェーハを準備することを含む。前記ウェーハの下面及び前記導電性バンプが形成されたウェーハの上面を一回に封止材でモールディングする。前記ウェーハの上面に形成された封止材をグラインドして前記導電性バンプの上端部を露出させる。前記露出された導電性バンプに端子を形成する。前記半導体チップが多数形成されたウェーハで一個ずつ半導体チップをダイシングする。
【０００９】
前記上面に導電性バンプが形成され、多数の半導体チップを含むウェーハは、入出力パッドが形成された半導体チップが多数形成されたウェーハを準備した後、前記各半導体チップの入出力パッドに導電性バンプを形成して備えられる。
【００１０】
前記封止材モールディングは注入モールディング方法、または圧縮モールディング方法を利用して行える。
【００１１】
前記注入モールディング方法による封止材モールディングは離型フィルムをモールディング装置の上部金型及び下部金型にそれぞれ密着させる段階と、前記導電性バンプが形成されたウェーハを前記上部金型及び下部金型間にローディングする段階と、前記上部金型及び下部金型内に封止材を注入する段階と、前記封止材が注入されたまま上部金型及び下部金型をキュアリングする段階と、前記離型フィルムを利用して前記上部金型と下部金型とからウェーハを脱型させる段階と、を含んでなりうる。前記ウェーハを脱型させた後、前記封止材がモールディングされたウェーハを後熱処理する段階をさらに含むことができる。前記封止材は液状封止材または固状封止材が利用できる。
【００１２】
前記圧縮モールディング方法による封止材モールディングは離型フィルムをモールディング装置の上部金型及び下部金型にそれぞれ密着させる段階と、前記上部金型及び下部金型に密着された離型フィルム上に封止シートを位置させる段階と、前記導電性バンプが形成されたウェーハを前記封止シート上の上部金型及び下部金型間にローディングする段階と、前記上部金型及び下部金型を密着させて前記封止シートを前記ウェーハの上面及び下面に熱圧着させた後でキュアリングする段階と、前記離型フィルムを利用して前記上部金型と下部金型とからウェーハを脱型させる段階と、を含んでなりうる。前記封止シートはポリイミド、エポキシ系及びシリコン系、またはこれらの混合系物質が利用できる。
【００１３】
前記他の技術的課題を達成するために、本発明のウェーハレベルチップサイズパッケージ製造用のモールディング装置は下部金型が位置する下部金型支持部と、前記下部金型の下部に位置して前記下部金型及び下部金型支持部を上に移動させうる金型駆動調節部と、前記下部金型支持部に位置した下部金型に対向して位置した上部金型を支持する上部金型支持部と、前記上部金型及び下部金型間に封止材が注入できる封止材注入部と、前記下部金型の温度が調節できる温度調節部と、を含んでなりうる。
【００１４】
前記金型駆動調節部は前記下部金型を支える支持台と、前記下部金型及び下部金型支持部を上に移動させうる油圧ポンプを含んでなりうる。
【００１５】
前記封止材注入部は封止材の注入速度及び量が調節できる封止材注入調節器と、前記封止材注入調節器に連結されたエアーチューブと、前記エアーチューブに連結された封止材ソース部と、前記封止材ソース部に連結されて前記上部金型及び下部金型を通じて封止材が注入できる注入ニードルと、を含んでなりうる。
【００１６】
前記温度調節部は前記下部金型の熱が調節できる熱調節器と、前記熱調節器と前記下部金型を連結させるヒートパイプと、を含んでなりうる。
【００１７】
以上のように本発明はウェーハ上下面を同じ封止材で一回にモールディングすることによって薄く、かつ広いウェーハのワーページも防止でき、ウェーハをハンドリングする時に機械的損傷を防止して半導体チップにクラックが発生することが防止できる。
【発明の効果】
【００１８】
本発明のウェーハレベルチップサイズの製造方法は、ウェーハ上下面を同じ封止材で一回にモールディングするので、薄く、かつ広いウェーハにも適用でき、薄く、かつ広いウェーハのワーページも防止できる。
【００１９】
本発明のウェーハレベルチップサイズの製造方法はウェーハ上下面を封止材でモールディングするので、ウェーハレベルテスト、ボード実装工程と、及びパッケージテスト工程でハンドリングする時に機械的損傷を防止して半導体チップにクラックが発生することが防止できる。
【００２０】
なお、本発明のウェーハレベルチップサイズの製造方法に使われたモールディング装置は注入モールディング方法及び圧縮モールディング方法が行えるために、封止材の種類に関係なく液状封止材、固状封止材及び封止材シート何れも使用できる。
【発明を実施するための最良の形態】
【００２１】
以下、図面を参照して本発明の実施例を説明する。しかし、次に例示する本発明の実施例は色々な他の形態に変形でき、本発明の範囲が後述する実施例に限定されるものではない。本発明の実施例は当業者に本発明をより完全に説明するために提供されるものである。図面で膜または領域のサイズまたは厚さは明細書の明確性のために誇張されたものである。
【００２２】
図１ないし図５は、本発明によるウェーハレベルチップサイズパッケージの製造方法を説明するための断面図である。
【００２３】
図１を参照すれば、上面に導電性バンプ１３が形成され、多数の半導体チップ（図示せず）を含むウェーハを用意する。言い換えれば、入出力パッド（図示せず）が形成された半導体チップが多数形成されたウェーハ１１を用意した後、前記各半導体チップの入出力パッドに導電性バンプ１３を形成したウェーハを用意する。すなわち、前記導電性バンプ１３は個々の半導体チップの入出力パッドに連結される。前記導電性バンプ１３の高さは１００μm程度に形成する。
【００２４】
図２を参照すれば、前記ウェーハ１１の下面及び前記導電性バンプ１３が形成されたウェーハ１１の上面を一回に封止材でモールディングする。言い換えれば、前記ウェーハ１１の下面と前記導電性１３が形成されたウェーハ１１の上面とを別に封止材１５でモールディングすることではなく、一括工程で前記ウェーハ１１の下面及び前記導電性バンプ１３が形成されたウェーハ１１の上面を一回に封止材でモールディングする。
【００２５】
このように本発明はウェーハの上下面を同じ封止材で一回にモールディングするので、薄く、かつ広いウェーハにも適用できる。特に、本発明はウェーハの両面に同じ封止材で一回にモールディングするので、ウェーハ両面に同等な収縮率及びストレスが印加されるので、薄く、かつ広いウェーハのワーページも防止できる。
【００２６】
なお、本発明はウェーハ上下面を封止材でモールディングするので、ウェーハレベルテスト、ボード実装工程と、及びパッケージテスト工程でハンドリングする時に機械的損傷を防止して半導体チップにクラックが発生する従来の問題点が解決できる。前記ウェーハ１１の下面及び前記導電性バンプ１３が形成されたウェーハ１１の上面を一回に封止材でモールディングする工程は注入モールディング方法または圧縮モールディング方法を利用して行う。前記注入モールディング方法及び圧縮モールディング方法については後述する。
【００２７】
図３を参照すれば、前記ウェーハ１１の上面に形成された封止材１５をグラインドして前記導電性バンプ１３の上端部を露出させる。次いで、前記ウェーハの上面で露出された導電性バンプ上に端子１７を形成する。前記端子は前記導電性バンプ上にソルダーボールを形成した後、リーフローして形成する。
【００２８】
図４及び図５を参照すれば、前記端子形成工程が完了した後、前記半導体チップの電気特性テストを実施する。次いで、前記半導体チップが多数形成されたウェーハ１１で一個ずつ半導体チップをダイシングして個別パッケージ（図５の２５）を完成する。すなわち、前記端子が形成されたウェーハ１１を、ウェーハフレーム１９が支持している接着テープ２１上に付着した後、切断ライン２３によってダイシングして個々の半導体チップを含む個別パッケージ（図５の２５）を完成する。前記個別パッケージ（図５の２５）はボード２７に実装して使用される。
【００２９】
図６は本発明のウェーハレベルチップサイズパッケージの製造方法に使われたモールディング装置を説明するための概略図である。
【００３０】
具体的に、図６のモールディング装置は図２で説明した注入モールディング方法及び圧縮モールディング方法何れにも利用されるモールディング装置である。前記注入モールディング方法を利用すれば、封止材は液状封止材、または固状封止材が使用でき、圧縮モールディング方法を利用して封止材は封止材シートが利用できる。
【００３１】
前記モールディング装置は下部金型１０１が位置する下部金型支持部１０３と、前記下部金型１０１下部に位置して前記下部金型１０１及び下部金型支持部１０３を上に移動させうる金型駆動調節部１０５とを含む。前記金型駆動調節部は前記下部金型を支える支持台１０５ａと、前記下部金型１０１及び下部金型支持部１０３を上に移動させうるポンプセット１０５ｂとを含む。前記ポンプセット１０５ｂは前記下部金型１０１及び上部金型１０７間に離型フィルムを付着する時にも使われる。
【００３２】
前記モールディング装置は前記下部金型支持部１０３に位置した下部金型１０１に対向して位置した上部金型１０７を支持する上部金型支持部１０９を含み、前記上部金型１０７及び下部金型１０１間には封止材が注入できる封止材注入部１１１、１１３、１１５、１１７が連結される。
【００３３】
前記封止材注入部は封止材の注入速度及び量が調節できる封止材注入調節器１１１と、前記封止材注入調節器１１１に連結されたエアーチューブ１１３と、前記エアーチューブ１１３に連結された封止材ソース部１１５と、前記封止材ソース部１１５に連結されて前記上部金型１０７に通じて前記上部金型１０７及び下部金型１０１間に封止材が注入できる注入ニードル１１７と、を含む。前記封止材ソース部１１５には液状封止材を利用でき、固状封止材、例えば固状ＥＭＣを利用する場合には前記封止材ソース部１１５にヒート装置（図示せず）を具備する。
【００３４】
図６では注入ニードル１１７が図示の便宜上、上部金型１０７のみを通じて連結されると図示されているが、注入ニードル１１７は前記上部金型１０７だけでなく下部金型１０１にも設置される。これにより、封止材は上部金型１０７及び下部金型１０１を通じて前記上部金型１０７及び下部金型１０１間に注入される。
【００３５】
なお、本発明のモールディング装置には前記下部金型１０１の温度が調節できる温度調節部１１９、１２１が含まれる。前記温度調節部１１９、１２１は前記下部金型の熱が調節できる熱調節器１１９と、前記熱調節器１１９と前記下部金型１０１とを連結させるヒートパイプ１２１と、を含む。
【００３６】
図７Ａないし図７Ｃは、図６のモールディング装置を利用して図２の封止材モールディング過程の一例を説明するための断面図である。
【００３７】
具体的に、図７Ａないし図７Ｃは、図２の封止材モールディングにおいて注入モールディング方法を採用した場合を説明するための図面である。図７Ａないし図７Ｃで、図２ないし図６と同じ参照番号は同じ部材を示す。
【００３８】
図７Ａに示されたように上部金型及び下部金型の両側にはそれぞれテープローラ１２３が設置される。前記テープローラ１２３を通じて上下部金型と導電性バンプ１３が形成されたウェーハ間に離型フィルム１２５が位置し、後で上下部金型とウェーハ間を容易に離隔できる。図７Ａに示されたようにポンプセット１０５ｂを利用して真空ホール１２６を通じて空気を吸入することによって離型フィルム２５を上部金型１０７及び下部金型１０１に密着させる。次いで、前記導電性バンプ１３が形成されたウェーハ１１が上部金型１０７及び下部金型１０１間にローディングされる。
【００３９】
次に、図７Ｂに示されたように前記上部金型１０７及び下部金型１０１内に注入ニードル１１７を通じて封止材１５、例えば液状樹脂を注入する。次いで、封止材１５が注入されたまま上部金型１０７及び下部金型１０１をキュアリングする。すなわち、上部金型１０７及び下部金型１０１間に注入された封止材１５がキュアリングされる。
【００４０】
次に、図７Ｃに示されたように下部金型と上部金型とを離隔させた後、離型フィルム１２５を利用して上部金型１０７と下部金型１０１とからウェーハ１１を脱型させる。次いで、前記封止材１５がモールディングされたウェーハ１１を後熱処理してモールディング工程を完了する。
【００４１】
図８Ａないし図８Ｃは、図６のモールディング装置を利用して図２の封止材モールディング過程の他の例を説明するための断面図である。
【００４２】
具体的に、図８Ａないし図８Ｃは、図２の封止材モールディングにおいて圧縮モールディング方法を採用した場合を説明するための図面である。図８Ａないし図８Ｃで、図２ないし図６と同じ参照番号は同じ部材を示す。図８Ａに示されたように上部金型１０７及び下部金型の両側にはそれぞれテープローラ１２３が設置される。前記テープローラ１２３を通じて上下部金型と導電性バンプ１３が形成されたウェーハ間に離型フィルム１２５が位置し、後で上下部金型１０７、１０１とウェーハ１１間を容易に離隔できる。
【００４３】
図８Ａに示されたようにポンプセット１０５ｂを利用して真空ホール１２６を通じて空気を吸入することによって離型フィルム２５を上部金型１０７及び下部金型１０１に密着させる。次いで、前記上部金型１０７及び下部金型１０１に密着された離型フィルム１２５上に封止シート１２７を位置させる。前記封止シート１２７はポリイミド、エポキシ系及びシリコン系物質を利用する。次いで、導電性バンプ１３が形成されたウェーハ１１を封止シート１２７上の上部金型１０７及び下部金型１０１間にローディングさせる。
【００４４】
次に、図８Ｂに示されたように前記上部金型１０７及び下部金型１０１を密着させて前記封止シート１２７を前記ウェーハ１１の上面及び下面に熱圧着させた後、キュアリングを実施する。前記封止シート１２７は後続工程で封止材（図８ｃの１５）となる。
【００４５】
次に、図８Ｃに示されたように下部金型と上部金型とを離隔させた後、離型フィルム１２５を利用して上部金型１０７と下部金型１０１とからウェーハ１１を脱型させる。このようになれば、前記ウェーハ１１の上面及び下面上に封止材（図８ｃの１５）が形成される。次いで、前記封止材１５がモールディングされたウェーハ１１を後熱処理してモールディング工程を完了する。
【産業上の利用可能性】
【００４６】
本発明は、半導体パッケージ製造に利用されうる。特に、本発明は半導体パッケージのうちウェーハレベルチップサイズパッケージの製造に利用されうる。さらに、本発明は前記半導体パッケージを製造するのに使用されるモルディング装置に利用されうる。
【図面の簡単な説明】
【００４７】
【図１】本発明によるウェーハレベルチップサイズパッケージの製造方法を説明するための断面図で、最初の工程を示すものである。
【図２】図１の次の工程を示すものである。
【図３】図２の次の工程を示すものである。
【図４】図３の次の工程を示すものである。
【図５】図４の次の工程を示すものである。
【図６】本発明のウェーハレベルチップサイズパッケージの製造方法に使われたモールディング装置を説明するための概略図である。
【図７Ａ】図６のモールディング装置を利用して図２の封止材モールディング過程の一例を説明するための断面図である。
【図７Ｂ】図６のモールディング装置を利用して図２の封止材モールディング過程の一例を説明するための断面図である。
【図７Ｃ】図６のモールディング装置を利用して図２の封止材モールディング過程の一例を説明するための断面図である。
【図８Ａ】図６のモールディング装置を利用して図２の封止材モールディング過程の他の例を説明するための断面図である。
【図８Ｂ】図６のモールディング装置を利用して図２の封止材モールディング過程の他の例を説明するための断面図である。
【図８Ｃ】図６のモールディング装置を利用して図２の封止材モールディング過程の他の例を説明するための断面図である。
【符号の説明】
【００４８】
１１    ウェーハ
１３    導電性バンプ
１５    封止材
【図１】
2005079577.tif 000003
【図２】
2005079577.tif 000004
【図３】
2005079577.tif 000005
【図４】
2005079577.tif 000006
【図５】
2005079577.tif 000007
【図６】
2005079577.tif 000008
【図７Ａ】
2005079577.tif 000009
【図７Ｂ】
2005079577.tif 000010
【図７Ｃ】
2005079577.tif 000011
【図８Ａ】
2005079577.tif 000012
【図８Ｂ】
2005079577.tif 000013
【図８Ｃ】
2005079577.tif 000014